(57)【特許請求の範囲】
【請求項１】
プレハブ冷却貯蔵庫のパネル同士を結合するロータリーロック用の穴の閉塞用キャップにおいて、
蓋板と、この蓋板の一面に突出して形成され、かつ、蓋板の略真ん中を中心とする略同一円上に間隔を開けて配置されている複数の脚部と、この脚部の中間部の外側から蓋板に向かって裾広がりに傾斜して設けられているヒレ部と、ヒレ部から脚部の先端部に向かって形成されているフランジとを備え、
前記フランジは略三角形形状で、脚部におけるヒレ部の取付部よりも先端側の部分と、ヒレ部との間に形成されて、脚部とヒレ部とを連結しているロータリーロック用の穴の閉塞用キャップ。
【請求項２】
プレハブ冷却貯蔵庫のパネル同士を結合するロータリーロック用の穴の閉塞用キャップにおいて、
蓋板と、この蓋板の一面に突出して形成され、かつ、蓋板の略真ん中を中心とする略同一円上に間隔を開けて配置されている複数の脚部と、この脚部の外側から蓋板に向かって裾広がりに傾斜して設けられているヒレ部と、隣接する脚部同士を連結するとともに、脚部よりも肉厚の薄い断面略円弧状の連結部とを備えているロータリーロック用の穴の閉塞用キャップ。
【発明の詳細な説明】
【０００１】
【発明の属する技術分野】
本発明は、プレハブ冷却貯蔵庫のパネル同士を結合するロータリーロック用の穴を塞ぐ閉塞用キャップに関する。
【０００２】
【従来の技術】
従来のロータリーロック用の穴を塞ぐキャップは、図８に図示するような構造をしている。図８は従来のキャップの説明図で、（ａ）がキャップの脚部をロータリーロック用の穴に挿入している最中の断面図、（ｂ）がロータリーロック用の穴に取り付けられているキャップの断面図である。
【０００３】
キャップ０１の蓋板０２は円板形状をしており、その一面には楔状の脚部０３が複数設けられている。そして、脚部０３の付け根部には溝０４が形成されており、この溝０４が、図８（ｂ）に図示するように、パネル０６の面材０７のロータリーロック用の穴の周縁部に係合している。
【０００４】
【発明が解決しようとする課題】
ところで、ロータリーロックにより互いに結合しているパネル０６同士を分離する場合には、ロータリーロック用の穴に取り付けられているキャップ０１を取り外して、ロータリーロックを操作してロックを解除する。この様に、ロータリーロック用の穴に取り付けられているキャップ０１は取り外すことがあるので、キャップ０１を取り外し易いように、キャップ０１は柔軟に構成されている。したがって、図８（ａ）に図示するように、キャップ０１をロータリーロック用の穴に取り付ける際に、キャップ０１の蓋板０２の中心部を指などで矢印で図示するように押すと、キャップ０１の蓋板０２が反り返り、脚部０３の先端部が外側に開く。したがって、脚部０３の先端部を、ロータリーロック用の穴に挿入しにくくなる。
【０００５】
また、キャップ０１の脚部０３は楔状をしており、図８（ａ）に図示する脚部０３の外側面がロータリーロック用の穴の縁部に当接している状態から、さらに押し込む際に、脚部０３全体を撓ます必要がある。したがって、抵抗がかなりあり、キャップ０１の取り付けに大きな力を要し、指先が痛くなる。しかも、ロータリーロック用の穴は多数設けられているので、キャップ０１の取り付け作業に多大の労力を有している。
【０００６】
そこで、キャップの脚部の下端部付近から外側に、ヒレ部を裾広がりに傾斜して形成し、このヒレ部を面材のロータリーロック用の穴に係合させて、キャップを面材に取り付けることを検討している。しかしながら、キャップを成型する金型が、ヒレ部に引っ掛かり、金型が損傷することがある。また、キャップをロータリーロック用の穴に挿入した際に、脚部が外側に開いたままになったり、ヒレ部が曲がったままになったりして、ヒレ部とロータリーロック用の穴との係合が不完全となるおそれがある。さらに、キャップの成型時に、蓋板にひけが発生することがある。
【０００７】
本発明は、以上のような課題を解決するためのもので、成型が容易なロータリーロック用の穴の閉塞用キャップを提供することを目的とする。また、より確実にロータリーロック用の穴に係合することができるロータリーロック用の穴の閉塞用キャップを提供することを二次的目的とする。
【０００８】
【課題を解決するための手段】
本発明の閉塞用キャップ（１１）は、プレハブ冷却貯蔵庫（１）のパネル（２）同士を結合するロータリーロック用の穴（６）を塞ぐものである。
【０００９】
そして、請求項１記載のキャップは、蓋板（１２）と、この蓋板の一面に突出して形成され、かつ、蓋板の略真ん中を中心とする略同一円上に間隔を開けて配置されている複数の脚部（１３）と、この脚部の中間部の外側から蓋板に向かって裾広がりに傾斜して設けられているヒレ部（１４）と、ヒレ部から脚部の先端部（１３ａ）に向かって形成されているフランジ（１５）とを備え、前記フランジは略三角形形状で、脚部におけるヒレ部の取付部よりも先端側の部分と、ヒレ部との間に形成されて、脚部とヒレ部とを連結している。
【００１０】
請求項２記載のキャップは、蓋板と、この蓋板の一面に突出して形成され、かつ、蓋板の略真ん中を中心とする略同一円上に間隔を開けて配置されている複数の脚部と、この脚部の外側から蓋板に向かって裾広がりに傾斜して設けられているヒレ部と、隣接する脚部同士を連結するとともに、脚部よりも肉厚の薄い断面略円弧状の連結部（１６）とを備えている。
【００１１】
【発明の実施の形態】
次に、本発明におけるキャップの実施の一形態を図１ないし図７を用いて説明する。図１はプレハブ冷却貯蔵庫の斜視図である。図２はパネルの説明図で、（ａ）がパネルの斜視図、（ｂ）が（ａ）の B-B断面の要部拡大図である。図３はキャップの説明図で、（ａ）がキャップの正面図、（ｂ）がキャップの底面図である。図４は図３（ｂ）の B-B断面図である。図５はロータリーロック用の穴に取り付けられているキャップの正面図である。図６は嵌め込み時における変形状態を説明するためのキャップの正面図である。図７は金型の説明図で、（ａ）が（ｂ）の A-A断面図、（ｂ）が底面図である。
【００１２】
図１に図示するプレハブ冷却貯蔵庫１は、結合装置であるロータリーロックで断熱パネル２を複数結合させて構成されている。この各断熱パネル２は、ステンレス板や塗装鋼板からなる一対の面材３を間隔を開けて対向させ、面材３間の空間にウレタンなどの断熱材４を注入発泡させて形成されている。そして、断熱パネル２の庫内側の面材３の複数箇所に略円形の段落ち部５が形成され、その中央部にロータリーロック用の略円形の穴６が形成されている。このロータリーロック用の穴６に、先端部がロータリーロック用の穴６よりも少し大径のロータリーロックのレンチ導入経路７が連通している。このロータリーロック用の穴６およびレンチ導入経路７に、レンチを挿入して、ロータリーロックの図示しないフックを回動して操作し、隣接する断熱パネル２のピンに係合させている。
【００１３】
このロータリーロック用の穴６は、断熱パネル２同士を結合した後は、キャップ１１が嵌め込まれて、蓋がされている。このキャップ１１は、一面が略平坦で他面が丸く膨出している略円板状の蓋板１２と、この蓋板１２の一面から突出している断面略円弧状の複数の脚部１３と、各脚部１３の外側から蓋板１２に向かって裾広がりに傾斜して設けられているヒレ部１４と、各脚部１３およびヒレ部１４の両端部に位置し、ヒレ部１４から脚部１３の先端に向かって形成されているフランジ１５と、隣接する脚部１３同士を連結する断面略円弧状の連結部１６とから構成され、軟質ポリ酢酸ビニール（ＰＶＡＣ）などの軟質樹脂で一体成形されて弾性を有している。
【００１４】
ヒレ部１４は、脚部１３の中間部、より正確には、真ん中よりも脚部１３の付け根側の部分の外側から裾広がりに傾斜して設けられており、ヒレ部１４の先端の半径Ｌ（すなわちキャップ１１の中心軸線とヒレ部１４の先端との距離）が、ロータリーロック用の穴６の半径Ｒよりも大きく形成されている。そして、脚部１３の外側面とヒレ部１４との間には溝１７が形成され、また、ヒレ部１４の端部と蓋板１２とは、段落ち部５の板厚と略等しいか、または段落ち部５の板厚よりも僅かに大きい間隔を有している。
【００１５】
各脚部１３の両側に設けられているフランジ１５は、脚部１３におけるヒレ部１４の取付部よりも先端側の部分と、ヒレ部１４との間に形成され、略三角形形状をしており、一辺が脚部１３の先端部側の部分に、他辺がヒレ部１４に取り付けられている。そして、左右一対のフランジ１５間には、窪み１９が形成されている。
【００１６】
さらに、脚部１３は複数たとえば４個設けられ、蓋板１２の略真ん中を中心とする略同一円上に間隔を開けて配置され、蓋板１２の中心軸線から脚部１３の先端部１３ａまでの半径Ｑは、ロータリーロック用の穴６の半径Ｒの略半分程度であり、かつ、蓋板１２の中心軸線から脚部１３の外面までの半径Ｓは、ロータリーロック用の穴６の半径Ｒよりも小さく形成されている。また、連結部１６の肉厚は0.5 〜1.0mm 程度で、脚部１３の肉厚よりも小さく形成されており、脚部１３よりも弾性変形し易い。
【００１７】
そして、蓋板１２の脚部取付側の面には、中央部に略円形の膨出部２１が膨出しており、厚肉となっている。膨出部２１と脚部１３との間には、隙間としての溝２２が形成されており、膨出部２１が脚部１３の弾性変形の妨げになることは少ない。
【００１８】
この様に構成されているキャップ１１は、図７に図示する金型３１で製作されており、金型３１は、蓋板１２の表面を成型する蓋板用スライド金型３３、脚部１３の内面を成型する脚部用スライド金型３４および４個のヒレ部用スライド金型３５から構成されている。脚部用スライド金型３４は、断面円弧状の脚部１３で囲まれた略円柱状の中心部３４ａと、この中心部３４ａから放射状に延在している十文字状の放射部分３４ｂとから構成されている。放射部分３４ｂと中心部３４ａとの連結部分には、キャップ１１の連結部１６を成型する断面円弧状の空間が形成されている。脚部用スライド金型３４の中心部３４ａの中央部には、押しピン４１がスライド可能に設けられている。また、ヒレ部用スライド金型３５は、ヒレ部１４および脚部１３の外面を成型し、脚部用スライド金型３４の隣接する放射部分３４ｂ同士の間に配置されている。さらに、ヒレ部用スライド金型３５は、ヒレ部１４の先端と蓋板１２との間の部分が薄くなっており、クビレ部３５ａが形成されている。そして、金型３１が組み合わされた状態では、脚部用スライド金型３４の放射部分３４ｂと、ヒレ部用スライド金型３５との間には、フランジ１５を成型する略三角形形状の空間が形成されている。
【００１９】
この様に構成されている金型３１を図７に図示する状態に組み合わせ、蓋板用スライド金型３３の樹脂注入口３３ａから、樹脂を注入してキャップ１１を成型する。キャップ１１の成型後、スライド金型３３，３４，３５を、矢印で図示するように外側にスライドさせるとともに、押しピン４１が矢印で図示するように、キャップ１１の膨出部２１を押している。すると、成型されたキャップ１１が金型３１から押し出されて取り出される。そして、ヒレ部用スライド金型３５が、キャップ１１の略径方向に外側に向かってスライドする際に、ヒレ部１４がヒレ部用スライド金型３５に引っ掛かり、クビレ部３５ａ付近で折り曲げようとする力が発生している。しかしながら、このヒレ部１４は、脚部１３の中間部から形成されており、脚部１３の下端部付近から形成された場合と比して、厚みが薄く、簡単に折れ曲がるので、ヒレ部用スライド金型３５が損傷することを減少させることができる。
【００２０】
また、押しピン４１はキャップ１１の膨出部２１を押しており、押しピン４１によりキャップ１１が変形することが減少する。さらに、キャップ１１の膨出部２１は厚みがあり、成型時の際に、蓋板１２の表面にひけが発生することが少なくなる。
【００２１】
この様に構成されているキャップ１１は、図６に図示するように、蓋板１２の脚部１３配置側とは反対側の面を指で押圧して、脚部１３を断熱パネル２のロータリーロック用の穴６に挿入して押し込んで取り付けられている。そして、太線の矢印で図示するように、蓋板１２を指で押圧した際に、蓋板１２が反り返り、実線の矢印で図示するように、連結部１６が伸びて、脚部１３の先端部が開くとともに、ヒレ部１４の先端が蓋板１２に近づく。しかしながら、連結部１６が設けられているので、従来のキャップの様に、脚部１３の先端部が大きく開くことはなく、ロータリーロック用の穴６への挿入が困難となることは少ない。
【００２２】
ついで、脚部１３をロータリーロック用の穴６に挿入した後に、指による押圧を止めると、伸びていた連結部１６が、二重線の矢印で図示するように、元の状態に縮み、脚部１３が元に戻るとともに、ヒレ部１４の先端が蓋板１２から遠ざかる。この際に、脚部１３とヒレ部１４とは、フランジ１５で連結されているので、ヒレ部１４は脚部１３と連動して確実に元の状態に戻ることができる。そして、図５に図示するように、ヒレ部１４がロータリーロック用の穴６の縁部である段落ち部５に確実に係合する。したがって、キャップ１１の嵌め込み時の感触が良好となる。また、ヒレ部１４はフランジ１５で支持されているので、ヒレ部１４の厚みが薄くても、不用意に段落ち部５から外れることはない。
【００２３】
また、断熱パネル２を組み立てて製作されているプレハブ冷却貯蔵庫１を、解体する際には、キャップ１１を取り外し、ロータリーロック用の穴６およびレンチ導入経路７にレンチを挿入して、ロータリーロックのフックを回動して、隣接する断熱パネル２のピンとの係合を解除し、結合している断熱パネル２を分離する。この様に、取り付けられたキャップ１１は、取り外すことがあるが、キャップ１１は軟質樹脂で形成されており、簡単に取り外すことができる。
【００２４】
前述のように、膨出部２１は蓋板１２の脚部１３配置側の面に形成されており、蓋板１２の表面側（脚部配置側とは反対側の面）には突出していない。したがって、キャップ１１をロータリーロック用の穴６に取り付けた際に、キャップ１１が断熱パネル２から大きく突出することがなく、見栄えが良好となる。
【００２５】
以上、本発明の実施の形態を詳述したが、本発明は、前記実施の形態に限定されるものではなく、特許請求の範囲に記載された本発明の要旨の範囲内で、種々の変更を行うことが可能である。本発明の変更例を下記に例示する。
（１）実施の形態においては、キャップ１１は軟質ポリ酢酸ビニール（ＰＶＡＣ）で形成されているが、軟質樹脂であれば、他の材質でも可能である。
【００２６】
（２）キャップ１１の蓋板１２は、ロータリーロック用の穴６を蓋することができるならば、その形状は適宜変更可能である。
（３）キャップ１１の脚部１３は、配置や断面形状などは適宜変更可能である。また、複数であれば、その数も４個以外でも可能である。
【００２７】
（４）フランジ１５の数量や配置は適宜変更可能である。たとえば、実施の形態においては、ヒレ部１４の両端に設けられているが、ヒレ部１４の略真ん中に一個のフランジ１５を設けることも可能である。
（５）実施の形態においては、隣接する脚部１３同士は、脚部１３の付け根部から先端まで延在している連結部１６で連結されているが、連結部１６を脚部１３の先端部のみに設けたり、脚部１３の中間部のみに設けたりすることができる。
（６）金型の構造は適宜変更可能である。
【００２８】
【発明の効果】
本出願の請求項１記載の発明によれば、ヒレ部が、脚部の中間部の外側から蓋板に向かって裾広がりに傾斜して設けられているとともに、フランジが略三角形形状で、ヒレ部から脚部の先端部に向かって形成され、脚部とヒレ部とを連結している。この様に構成すると、ヒレ部の肉厚が小さい場合にも、フランジによりヒレ部の復元力を補強することができる。その結果、ヒレ部を薄くして離型を容易にするとともに、キャップを確実にロータリーロック用の穴に係合させることができる。
【００２９】
請求項２記載の発明によれば、隣接する脚部同士は、肉厚の薄い断面略円弧状の連結部で連結されているので、ロータリーロック用の穴に挿入される際に、脚部などが撓んだ際にも、ロータリーロック用の穴に挿入後、連結部の復元力で、脚部などを元の状態に復帰させることができる。その結果、キャップを確実にロータリーロック用の穴に係合させることができる。
【図面の簡単な説明】
【図１】図１はプレハブ冷却貯蔵庫の斜視図である。
【図２】図２はパネルの説明図で、（ａ）がパネルの斜視図、（ｂ）が（ａ）の B-B断面の要部拡大図である。
【図３】図３はキャップの説明図で、（ａ）がキャップの正面図、（ｂ）がキャップの底面図である。
【図４】図４は図３（ｂ）の B-B断面図である。
【図５】図５はロータリーロック用の穴に取り付けられているキャップの正面図である。
【図６】図６は嵌め込み時における変形状態を説明するためのキャップの正面図である。
【図７】図７は金型の説明図で、（ａ）が（ｂ）の A-A断面図、（ｂ）が底面図である。
【図８】図８は従来のキャップの説明図で、（ａ）がキャップの脚部をロータリーロック用の穴に挿入している最中の断面図、（ｂ）がロータリーロック用の穴に取り付けられているキャップの断面図である。
【符号の説明】
１  プレハブ冷却貯蔵庫
２  断熱パネル（パネル）
６  ロータリーロック用の穴
１１  キャップ
１２  蓋板
１３  脚部
１３ａ  先端部
１４  ヒレ部
１５  フランジ
１６  連結部
２１  膨出部
【図１】
0003583913.tif 000002
【図２】
0003583913.tif 000003
【図３】
0003583913.tif 000004
【図４】
0003583913.tif 000005
【図５】
0003583913.tif 000006
【図６】
0003583913.tif 000007
【図７】
0003583913.tif 000008
【図８】
0003583913.tif 000009